(57)【要約】【課題】配線工事も不要であり、低コストでバッテリー消耗の極めて少ない施錠システムを提供すること【解決手段】補助錠１の施錠システムは、引き違い方式で開閉される戸２Ａ、２Ｂに、補助錠１を設け、建物内に補助錠１の施錠・解錠の制御を行うメインコントローラ２１を設け、補助錠１にバッテリー１７により作動可能なサブコントローラＳを設ける。サブコントローラＳとメインコントローラ２１とに送受信可能な無線通信機能を設け、サブコントローラＳはメインコントローラ２１の送信した施錠命令を間欠的に受信し、施錠命令を受信したサブコントローラＳが補助錠１を施錠する。【選択図】  図１
2004156254.tif 000002
【特許請求の範囲】
【請求項１】
戸に設けられる施錠手段を施錠状態にするサブコントローラと、前記施錠手段の施錠状態を把握するメインコントローラとを設け、前記サブコントローラと前記メインコントローラとに、互いに送受信可能な無線通信機能を備え、両者間で相互通信可能な環境が成立していることを特徴とする施錠システム。
【請求項２】
前記サブコントローラはバッテリーにより作動可能とされることを特徴とする請求項１記載の施錠システム。
【請求項３】
前記サブコントローラに鍵が設けられていることを特徴とする請求項１，２の何れかに記載された施錠システム。
【請求項４】
前記サブコントローラ側に、前記サブコントローラ側の状態を確認する状態検知手段が設けられており、前記サブコントローラは、該状態検知手段の検知結果が所定条件を満たしたときに、前記メインコントローラと受信する受信機能を起動させることを特徴とする請求項１〜３の何れかに記載された施錠システム。
【請求項５】
前記サブコントローラが、受信機能を起動するときに、受信機能を間欠的に起動させて前記メインコントローラの発信命令を受信することを特徴とする請求項１〜４の何れかに記載された施錠システム。
【請求項６】
前記サブコントローラが、前記状態検知手段の状態変化が所定条件を満たしたときに、前記メインコントローラへの送信する送信機能を起動することを特徴とする請求項１〜４の何れかに記載された施錠システム。
【請求項７】
前記状態検知手段自身が停止状態と起動状態とを有しており、所定条件を満たしたときに検出可能に変化することを特徴とする請求項１〜７の何れかに記載された施錠システム。
【請求項８】
前記メインコントローラが、前記サブコントローラにおける前記状態検知手段の状態を認識しており、必要条件が満たされたサブコントローラに対して所定命令を送信することを特徴とする請求項１〜７の何れかに記載された施錠システム。
【請求項９】
バッテリーと、
戸の開閉状態を検知する開閉センサと、
戸の施錠・解錠状態を検知する施錠センサと、
戸を施錠する施錠手段と、
メインコントローラと無線により送受信する無線通信手段と、
メインコントローラと通信環境条件を定める通信機能と、施錠手段を施錠状態にする施錠機能と、開閉センサによって戸の開閉状態を検出する開閉検出機能と、施錠センサによって施錠・解錠の状態を検出する施錠・解錠検出機能と、開閉センサ、施錠センサ、無線通信手段の起動・停止への供給電力を制御する電力制御機能とを備えた施錠システム。
【請求項１０】
ガラス破壊センサ等の防犯センサを備えたことを特徴とする請求項９に記載された施錠システム。
【発明の詳細な説明】
【０００１】
【発明の属する技術分野】
本発明は、建物の戸に設けられる鍵の施錠システム及び施錠装置に関する。
【０００２】
【従来の技術】
従来から、建物の警備システム等では、クレセント錠等の主たる錠を備えたガラス戸のガラスに、補助錠や開閉センサ或いはガラス戸を叩いたり破壊したことを検出するガラス破壊センサ等を単独で設置するものが、知られている。（例えば、特許文献１参照）
【０００３】
【特許文献１】
特開平６−３０９５７２号公報
【０００４】
【発明が解決しようとする課題】
また、従来、ビル等の建物の管理では、施錠されたかどうかを確認する施錠確認システムがある。このような電気施錠システムは、あくまでも施錠状態を確認するのみで、自動的に施錠を行うものではない。施錠はそれぞれ手動で行わなければならず、煩わしい。更に、このようなシステムはビル等を意図しており、装置が大型化しており、システムの設置がしづらい。
【０００５】
また、実公平６−３３１７３号の「電気施錠装置」はあるが、単に鍵の施錠と解除を電気的に行うものであり、これらは施錠状態管理に関するものではない。これは、各部屋に設置された施錠装置がどのような状態にあるのかを表示するものではないため、ユーザーが各部屋の施錠状態を確認することは出来ない。更に、電気施錠装置はモーター等のソレノイドが必要であり、非常に大型化し、電力消費が大きい。
【０００６】
そのため、バッテリー駆動では長時間の可動が出来ず、このような装置は優先式で行うのが常である。そのような場合には、配線作業が必要になり、簡単に設定作業が行えず簡易に利用が出来ない。また、特開２０００−３０３７３５号公報に記載のように、クレセント錠を主として補助的に行う補助装置もある。しかし、これら補助装置は、電気的に行うものではなく、施錠命令による電気施錠システムではない。
【０００７】
このように、電気施錠システムと施錠管理システムを組み合わせたものはなく、補助錠と施錠管理を組み合わせたものはない。そのため、利用者としては鍵の状態の把握と施錠システムが一つのシステムを利用できないため、非常に使い勝手が悪い。
【０００８】
本発明は、このような課題に着目してなされたものであり、低コスト且つ設置しやすくて小電力の施錠システムを提供することを目的とする。
【０００９】
【課題を解決するための手段】
上記課題を解決するために、本願の第１の施錠システムは、戸に設けられる施錠手段を施錠状態にするサブコントローラと、前記施錠手段の施錠状態を把握するメインコントローラとを設け、前記サブコントローラと前記メインコントローラとに、互いに送受信可能な無線通信機能を備え、両者間で相互通信可能な環境が成立していることを特徴とする。
【００１０】
本願の第２の施錠システムは、第１記載の施錠システムであって、前記サブコントローラはバッテリーにより作動可能とされることを特徴とする。
【００１１】
本願の第３の施錠システムは、第１，２の何れかに記載された施錠システムであって、前記サブコントローラに鍵が設けられていることを特徴とする。
【００１２】
本願の第４の施錠システムは、第１〜３の何れかに記載された施錠システムであって、前記サブコントローラ側に、前記サブコントローラ側の状態を確認する状態検知手段が設けられており、前記サブコントローラは、該状態検知手段の検知結果が所定条件を満たしたときに、前記メインコントローラと受信する受信機能を起動させることを特徴とする。
【００１３】
本願の第５の施錠システムは、第１〜４の何れかに記載された施錠システムであって、前記サブコントローラが、受信機能を起動するときに、受信機能を間欠的に起動させて前記メインコントローラの発信命令を受信することを特徴とする。
【００１４】
本願の第６の施錠システムは、第１〜４の何れかに記載された施錠システムであって、前記サブコントローラが、前記状態検知手段の状態変化が所定条件を満たしたときに、前記メインコントローラへの送信する送信機能を起動することを特徴とする。
【００１５】
本願の第７は、第１〜７の何れかに記載された施錠システムであって、前記状態検知手段自身が停止状態と起動状態とを有しており、所定条件を満たしたときに検出可能に変化することを特徴とする。
【００１６】
本願の第８の第１〜７の何れかに記載された施錠システムは、前記メインコントローラが、前記サブコントローラにおける前記状態検知手段の状態を認識しており、必要条件が満たされたサブコントローラに対して所定命令を送信することを特徴とする。
【００１７】
本願の第９の施錠システムは、バッテリーと、戸の開閉状態を検知する開閉センサと、戸の施錠・解錠状態を検知する施錠センサと、戸を施錠する施錠手段と、メインコントローラと無線により送受信する無線通信手段と、メインコントローラと通信環境条件を定める通信機能と、施錠手段を施錠状態にする施錠機能と、開閉センサによって戸の開閉状態を検出する開閉検出機能と、施錠センサによって施錠・解錠の状態を検出する施錠・解錠検出機能と、開閉センサ、施錠センサ、無線通信手段の起動・停止への供給電力を制御する電力制御機能とを備えたことを特徴とする。
【００１８】
本願の第１０の施錠装置は、第９に記載された施錠装置であって、ガラス破壊センサを備えたことを特徴とする。
【００１９】
第１の発明によれば、施錠命令に基づき施錠を行えるとともに、サブコントロ−ラの状況をメインコントローラ側で把握でき、施錠装置と施錠確認が一つのシステムで行える。
【００２０】
第２の発明のよれば、バッテリーの利用により、第１の施錠システムがサブコントローラの配線が不要になるとともに、不要な配線が無く見栄えがよい。
【００２１】
第３の発明のよれば、サブコントローラと鍵が別の場合に比べて、有線で鍵とサブコントローラをつなぐ必要が無く、装置が簡単になり、且つ、配線作業が不要となり、設置作業のコストが低くなるとともに、設置時の見栄えが良くなる。更に一般ユーザーによる設置も行える。
【００２２】
第４の発明のよれば、サブコントローラを必要時のみ受信待機状態とすることにより、常に受信状態となる場合に比べて、消費電力を押さえることが出来、小電力であり、バッテリーの寿命を長くすることが出来る。
【００２３】
第５の発明によれば、サブコントローラが受信待機状態にあるときでも、メインコントローラからの信号を受信するために常に待機してるものでなく、間欠的に受信機能を起動するので、常に送信信号を待つ状態に比べて、消費電力を抑制でき、小電力であるため、バッテリーの寿命を長くすることが出来る。
【００２４】
第６の発明によれば、サブコントローラからメインコントローラへの送信が必要時のみで良く、常時送信している場合に比べて、消費電力を抑制でき、小電力であり、バッテリーの寿命を長く維持できる。
【００２５】
第７の発明によれば、状態変化検出手段も必要なもののみが検出可能となっていることにより、消費電力を押さえることが出来、省電力であり、バッテリーの寿命を長く維持できる。
【００２６】
第８の発明によれば、メインコントローラがサブコントローラの状態を把握しており、送信の必要のないサブコントローラに送信信号を送らないので、サブコントローラも送信信号に基づく応答をする必要が無く、消費電力を押さえることが出来る。サブコントローラも省電力でありバッテリーの寿命を長くすることが出来る。
【００２７】
第９の発明によれば、施錠の管理と自動施錠を行えるようにすることが出来、且つ、バッテリーを有するため、サブコントローラの電源供給を有線化する必要が無く、設置作業が容易であるとともに、見栄えも良くなる。更に各種センサの機能により戸の開閉状態を検出し、施錠の状態を把握し、必要なときにサブコントローラは受信可能になっており、送信信号においても必要時にのみ送信するように電力供給制御を行うため、消費電力が抑制され、バッテリーの寿命を延ばすことが出来る。
【００２８】
第１０の発明によれば、ガラス破壊センサ等の防犯センサを設けたことにより、施錠の管理、施錠装置に加えてセキュリティ装置としても利用が可能であり、より安全性を高めることができる。
【００２９】
【発明の実施の形態】
以下、図面を参照にしつつ本発明の実施の形態にかかる施錠システムを説明する。
【００３０】
図１は、この施錠システムに用いる補助錠１を示している。この補助錠１は、引き違い式の戸２Ａの縦框３Ａに取り付けられる筐体４と、他方の戸２Ｂの上部框３Ｂに取り付けられるＬ型断面形状の規制板５とで構成される。戸２Ａの框にはクレセント錠の一方の鍵ｋ１が設けられ、戸２Ｂの框にはクレセント錠の他方の鍵ｋ２が設けられている。
【００３１】
筐体４の上部には溝６が形成されており、溝６の内部に規制板５の移動を規制可能な施錠板７が揺動軸７Ａ（図２参照）に揺動可能に軸止されている。
【００３２】
施錠手段は、施錠板７、規制板５、弦巻バネ１０、永久磁石１１、コイル１２、マイクロコンピュータ１３によって構成されている。
【００３３】
規制板５は上部框３Ｂから突出する突起部８を備えており、この突起部８の移動領域に対して施錠板７の一端部が出入可能になっている。施錠板７は、磁性体からなるものであり、この実施の形態では鋼鉄製とされている。施錠板７は溝６の内部を揺動可能になっており、施錠板７の揺動軸７Ａ側には、施錠板７を規制板５の移動領域から退避させるためのレバー９が形成されている。
【００３４】
揺動軸７Ａには弦巻バネ１０が巻かれている。弦巻バネ１０の一方の端部は施錠板７の一端部側に設けられた掛止突起１０Ａに掛止められ、弦巻バネ１０の他方の端部は筐体４の溝６の内壁に設けられた掛止突起１０Ｂに掛止されている。施錠板７は弦巻バネ１０によって規制板８側に倒れる方向に常時付勢されている。弦巻バネ１０の付勢力は、溝６の内壁に設けられた永久磁石１１が施錠板７を吸着する力より弱いものであって、永久磁石１１の磁力がコイル１２の通電により逆方向の磁力によって弱められるまで、施錠板７が永久磁石１１に吸着して移動しない程度の付勢力とされている。
【００３５】
コイル１２は永久磁石１１から真鍮板１２Ｂにより隔てられた軟鉄のコア１２Ａの周りに巻かれており、コイル１２はコア１２Ａに取り付けられた真鍮板１２Ｂを介して永久磁石１１に支持されている。永久磁石１１の磁力はコア１２Ａを通してレバー９を吸着可能とされる。コイル１２は、永久磁石１１の磁束の作用方向に対して逆方向の磁束を発生するためのものであり、マイクロコンピュータ１３の入出力ポートからの通電により、コイル１２が通電されて永久磁石１１の磁束と反対方向の磁束を発生して永久磁石１１の磁力を弱化させ、弦巻バネ１０の付勢力により施錠板７を規制板５側に倒す。
【００３６】
筐体４の内部には、マイクロコンピュータ１３と、施錠板７の施錠・解錠を検知する施錠センサ１４と、戸２Ａ、２Ｂの開閉を検知する開閉センサ１５と、戸２Ａ、２Ｂのガラスの破壊音を検出するガラス破壊センサ１６と、バッテリー１７と、ガラス破壊時に警報音を鳴らすスピーカ１８と、通信器１９とを備えている。
【００３７】
サブコントローラＳは、マイクロコンピュータ１３と、施錠センサ１４と、開閉センサ１５と、ガラス破壊センサ１６と、バッテリー１７と、スピーカ１８と、通信器１９により構成される。通信器１９はマイクロコンピュータ１３の指令によりアンテナ２０から図３に示すメインコントローラと無線による通信を行う。尚、サブコントローラＳは上記センサが同一筐体に収納されていなくても良い。
【００３８】
サブコントローラＳは、メインコントローラ２１との通信環境条件を定める通信機能と、施錠手段である補助錠１を施錠状態にする施錠機能と、開閉センサ１５によって戸の開閉状態を検出する開閉検出機能と、施錠センサ１４によって施錠・解錠の状態を検出する施錠・解錠検出機能と、ガラス破壊センサ１６によるガラス破壊の検出機能と、開閉センサ１５、施錠センサ１４、無線通信手段である通信器１９の起動・停止への供給電力を制御する電力制御機能とを備えている。
【００３９】
施錠センサ１４は、例えば、常閉接点を有するマイクロスイッチからなるものであり、施錠板７が施錠センサ１４に接触しているときに、マイクロスイッチは非導通状態となる。施錠センサ１４は、マイクロスイッチに限らず、近接センサ、反射型ホトインタラプタ等によって構成しても良い。
【００４０】
開閉センサ１５は、反射型インタラプタ、近接センサ、マイクロスイッチ等で構成されるが、この実施の形態では反射型インタラプタで構成されている。反射型ホトインタラプタ１５Ａと反射板１５Ｂによって構成されている。ホトインタラプタ１５Ａは筐体４の側面であって、規制板５に臨む部位に設けられている。規制板５側にはホトインタラプタ１５Ａの光を反射する反射板１５Ａが設けられている。戸２Ａ、２Ｂの開閉状態を検知するとき、ホトインタラプタ１５Ａは光を規制板５側に照射し、反射板１５Ｂからの反射光を受光して戸２Ａ、２Ｂの開閉状態を検知する。
【００４１】
ガラス破壊センサ１６は、集音マイクにより構成され、戸２Ａ、２Ｂのガラス２Ｃ、２Ｄが割られたときの超音波を集音し、ガラス２Ｃ、２Ｄの破壊を検知する。ガラスの破壊音を検知するとき、ガラス破壊センサ１６の集音マイクは、ガラスが破壊されたときに生ずる音圧レベルによって微弱な電圧が発生して電流が流れ、ガラス破壊を検知する。
【００４２】
施錠センサ１４と開閉センサ１５とガラス破壊センサ１６は、サブコントローラＳ側の状態を確認する状態検知手段を構成している。
【００４３】
バッテリー１７にはリチウム電池が用いられる（バッテリー１７は他の電池でも良い）。バッテリー１７の正極はマイクロコンピュータ１３の電源端子に接続され、負極はマイクロコンピュータ１３の接地端子に接続されている。
【００４４】
スピーカ１８には図示しない増幅回路が設けられており、この増幅回路はマイクロコンピュータ１３の入出力ポートに接続されている。スピーカは、ガラス破壊センサ１６がガラス破壊音を検出したときに、マイクロコンピュータ１３からの命令により動作して威嚇音を発生する。
【００４５】
通信器１９は、マイクロコンピュータ１３の命令によりアンテナ２０を介して送信・受信を行う。
【００４６】
通信器１９は、通信電力を極力消費しないように、マイクロコンピュータ１３の制御により間欠的に受信機能を起動するものであり、（１）戸２Ａ、２Ｂが開いているとき、又は、（２）戸２Ａ、２Ｂが閉じていて施錠センサ１４が施錠を検出しているとき、即ち、所定条件化でメインコントローラ２１からの送信信号を受信する受信機能を停止している。
【００４７】
また、通信器１９は、（１）メインコントローラの警戒が解除され、且つ、戸２Ａ、２Ｂが閉まっている状態において、施錠センサ１４が解錠を検出したときに、受信機能を起動し・受信可能となる。
【００４８】
また、通信器１９がメインコントローラと送信する送信機能は、マイクロコンピュータ１３からの通信器１９に給電されることによって起動される。通信器１９の送信機能は、（１）ガラス破壊センサ１６がガラス破壊時に発生する超音波を検知したとき、（２）補助錠１側で状態の変化が生じたとき、（３）開閉センサ１５が「閉」で施錠センサ１４が「施錠」とされて警戒モードになっているときに、開閉センサ１５が「開」に状態変化したとき（ガラス破壊センサ１６がガラス破壊を検出することなく戸２Ａ、２Ｂが開いた場合）に、起動される。
【００４９】
メインコントローラ２１は、建物の内部に配置されるものであり、図３に示すように、マイクロコンピュータ２２と、操作部２３と、電源部２４と、液晶表示板からなる表示部２５と、サブコントローラＳと無線通信を行うための無線通信部２６と、警報用スピーカ及び増幅器を備えた威嚇音発生部２７とを、備えている。メインコントローラ２１は、施錠命令を発する指令手段等を別筐体として設けても良く、同一の筐体に配設することには限らない。
【００５０】
電源部２４は、二次バッテリー２８と充電器ユニット２９とを含んでいる。操作部２３には、施錠の処理のための操作を行うための施錠ボタン３０と、施錠や監視を解除する在宅ボタン３１とを備えている。
【００５１】
メインコントローラ２１のマイクロコンピュータ２２は、サブコントローラＳとの通信環境条件と通信を行う通信機能と、サブコントローラＳの状態を記憶する機能と、サブコントローラＳへ施錠処理を行う機能と、警戒処理機能を実行するプログラムが記憶されている。また、マイクロコンピュータ２２は、サブコントローラＳのＩＤ、開閉状態、施錠状態を記憶する記憶領域を持っている。マイクロコンピュータ２２は、サブコントローラＳのチップＩＤを判別可能に設定されており、マイクロコンピュータ２２とサブコントローラＳとは互いに送受信可能になっている。
【００５２】
次に、サブコントローラＳとメインコントローラによる施錠システムについて説明する。
【００５３】
サブコントローラＳとメインコントローラ２１は、サブコントローラＳとメインコントローラ２１同士が相互に通信可能な機能と、通信のための規約とを備えており、両者間で相互通信可能な環境が成立している。サブコントローラＳは、メインコントローラ２１が認識可能な固有のＩＤデータを備えている。このサブコントローラＳのＩＤデータは、マイクロコンピュータ１３のチップＩＤで定められており、メインコントローラ２１は、個々のサブコントローラＳの「ＩＤデータ」と「施錠状態」と「戸の開閉状態」を記憶した記憶領域を少なくとも持っている。
【００５４】
メインコントローラ２１とサブコントローラＳとの間では、相互に送受信可能な周波数の電波法に基づく小電力無線又は微弱無線による電波により送信及び受信が可能とされている。メインコントローラ２１の通信器から送信された特定周波数の小電力又は微弱な電波を、サブコントローラＳの通信器が受信し、サブコントローラＳの通信器から送信された特定周波数の小電力又は微弱な電波を、メインコントローラ２１の通信器が受信する。メインコントローラ２１が施錠の実行を行うモードにおいて、メインコントローラ２１が送信する小電力又は微弱な電波には、施錠命令を示す信号が含まれる。
【００５５】
サブコントローラＳでは、バッテリー１７の装填後にマイクロコンピュータ１３に給電され、マイクロコンピュータ１３は微弱な電流で動作している。マイクロコンピュータ１３は通信器１９への給電を制御しており、上述の施錠センサ１４、開閉センサ１５、ガラス破壊センサ１６等の状態検知手段の検知結果が所定条件を満たしたときに、メインコントローラ２１と受信する受信機能を起動させる。
【００５６】
サブコントローラＳが、受信機能を起動するときに、この受信機能は間欠的に起動されてメインコントローラ２１の発信命令を受信する。
【００５７】
即ち、開閉センサ１５が［戸２Ａ、２Ｂが開］（このとき戸２Ａ、２Ｂは解錠されている）を検知するとき、マイクロコンピュータ１３から通信器１９には給電されない。又、開閉センサ１５が［戸２Ａ、２Ｂが閉］且つ施錠センサ１４が［戸２Ａ、２Ｂが施錠］のときも、マイクロコンピュータ１３から通信器１９には給電されない。
【００５８】
また、開閉センサ１５が［戸２Ａ、２Ｂが閉］且つ施錠センサ１４が［補助錠１の解錠」のとき、マイクロコンピュータ１３から通信器１９に間欠的な周期で給電がなされ、通信器１９が間欠的に受信可能となる。
【００５９】
この場合、メインコントローラ２１は使用者の施錠命令を所定時間サブコントローラＳに送信する。メインコントローラ２１は例えば５秒間（基準はユーザーが施錠結果を知るために待つことが出来る時間で、２〜３秒でも良い。）継続して通信機能を動作させる。送信後メインコントローラ２１はサブコントローラＳからの送信信号を待っており、受信待機状態となっている。
【００６０】
サブコントローラＳの通信器１９が動作する間欠的周期は、メインコントローラ２１からの間欠的送信（一例として５秒間隔）のオンタイム継続時間よりも短い間隔（一例として４秒）で例えば３０ｍ秒間動作する。このため、サブコントローラＳはメインコントローラ２１の問い合わせ信号或いは施錠命令信号を確実に受信することができると共に、非常に短い時間のみ通信器１９を機能させるので、電力の消耗が少なく、バッテリー消耗が少ない。送信機能は、メインコントローラ２１が施錠命令の信号を送信している間は行わず、メインコントローラ２１の送信が終わってから行うようになっている。
【００６１】
サブコントローラＳは、上述の施錠センサ１４、開閉センサ１５、ガラス破壊センサ１６等の状態検知手段の検知結果が所定条件を満たしたときに、メインコントローラ２１への送信する送信機能を起動する。
【００６２】
即ち、サブコントローラＳがメインコントローラ２１に送信する条件は、
（１）サブコントローラＳが受信状態にあって開閉センサ１５が［開］を示すとき、
（２）メインコントローラ２１が発する［施錠命令］を正常に受信したかについての問い合わせに対して［正常受信］を回答するとき、
（３）メインコントローラ２１が発する［戸２Ａ、２Ｂの開閉の確認命令］の問い合わせに対して開閉センサ１５の［開］［閉］を回答するとき、
（４）メインコントローラ２１が発する［バッテリーの残量の確認命令］の問い合わせに対してマイクロコンピュータ１３が［バッテリーの残量の充分・不十分］を回答するとき、
（５）サブコントローラＳ側で開閉センサ１５が［閉］、施錠センサ１４が［施錠］にあって、ガラス破壊センサ１６が［破壊］を検知したとき、である。
【００６３】
この送信電波に含まれるデータには、建物に設けられている個々のサブコントローラＳ自身のＩＤデータが含まれる。
【００６４】
施錠センサ１４、開閉センサ１５、ガラス破壊センサ１６等の状態検知手段は、停止状態と起動状態とを有しており、所定条件を満たしたときにマイクロコンピュータ１３からの給電により、検出可能に変化する。
【００６５】
この所定条件は、補助錠１の施錠板７は施錠するとき以外は給電されず、受信待機時において補助錠１が解錠状態で開閉センサ１５が［閉］のときに通信器１９には給電が間欠的に給電される。
【００６６】
開閉センサ１５には３種類の弱い電流が給電される。
【００６７】
即ち、戸２Ａ，２Ｂが開いているとき、マイクロコンピュータ１３を動作させるための極微弱な電流が給電される。戸２Ａ、２Ｂが閉じているとき、施錠センサ１４、開閉センサ１５、ガラス破壊センサ１６を動作させるための微弱な電流が給電される。戸２Ａ、２Ｂが［開］［閉］の状態を変えるときには、通信器１９によって受信・送信を行う場合や威嚇音を発生するための弱い電流が給電される。
【００６８】
施錠センサ１４には開閉センサ１５が［閉］を示し、［施錠］を検知しているときに微弱な電流が給電され、それ以外の場合には給電されない。
【００６９】
ガラス破壊センサ１６には、開閉センサ１５が［閉］を示し、［施錠］を検知しているときに微弱な電流が給電され、それ以外の場合には給電されない。
【００７０】
送信時の通信器１９への給電は、非通信時には給電されず、戸２Ａ、２Ｂが［開］から［閉］又はその［閉］から［開］に変化するときに、メインコントローラ２１に状態を送信するために給電される。
【００７１】
警報手段としてのスピーカ１８には、警戒モードで開閉センサ１５が［閉］を示し、［施錠］を検知しており、ガラス破壊センサ１６が［ガラス破壊］を検知し、若しくは開閉センサ１５が［開］を検知したときに電流が給電され、威嚇音を発する。
【００７２】
メインコントローラ２１は、サブコントローラＳにおける施錠センサ１４、開閉センサ１５の状態を認識しており、開閉センサ１５が［閉］を示し、施錠センサ１４が［解錠］を示す必要条件が満たされたサブコントローラＳに対して所定命令である［施錠命令］を送信し、戸２Ａ、２Ｂが開いているサブコントローラＳ、若しくは戸２Ａ、２Ｂが閉じ更に施錠がなされているサブコントローラＳには［施錠命令］は送信しない。
【００７３】
このメインコントローラ２１の送信はメインコントローラ２１が記憶しているサブコントローラＳの状態に基づいており、戸２Ａ、２Ｂが開いているときや、既に施錠・戸閉のときは、通信不要としている。
【００７４】
次に、流れ図を用いて、この実施の形態の施錠システムの流れを説明する。
【００７５】
先ず、バッテリー１７がサブコントローラＳに装填され、メインコントローラ２１の施錠システムが起動開始状態にあり、サブコントローラＳはバッテリー投入により起動状態となる（ステップ１）。
【００７６】
次に、サブコントローラＳは、戸２Ａ、２Ｂの開閉状態を検出する。ステップ２の検出において、施錠センサ１４、開閉センサ１５、ガラス破壊センサ１６、バッテリー残量との各種のチェックを行う（ステップ２）。
【００７７】
このステップ２のチェックの後に、イニシャライズを行う（ステップ３）。このイニシャライズでは、サブコントローラＳのＩＤと戸２Ａ、２Ｂの開閉状態の確認、施錠状態を確認し、サブコントローラＳからメインコントローラ２１に送信する。
【００７８】
ステップ４の判別では、戸２Ａ、２Ｂが開いているときは、通信器１９を起動して開いていることをメインコントローラ２１に送信し（ステップ４−１）、サブコントローラＳのＩＤを送信する（ステップ４−２）。メインコントローラ２１ではこのサブコントローラＳのＩＤを受信してメインコントローラ２１の施錠管理テーブルの記憶領域に、開いている戸２Ａ、２ＢのサブコントローラＳのＩＤを記憶する（ステップ４−３）。
【００７９】
ステップ４の判別において、戸２Ａ、２Ｂが閉まっていれば、サブコントローラＳは補助錠１の施錠状態を判別する（ステップ５）。
【００８０】
ステップ５の判別において、施錠センサ１４が施錠板７を検出したら、サブコントローラＳからメインコントローラ２１に施錠状態の戸のサブコントローラＳのＩＤと施錠済み状態を送信し（ステップ５−１）、メインコントローラ２１は施錠済みの戸のサブコントローラＳのＩＤを記憶する（ステップ５−２）。
【００８１】
ステップ４の判別において、補助錠１が解錠状態であれば、サブコントローラＳは通信器１９を起動させて、間欠的に受信可能とし、メインコントローラ２１からの施錠命令の送信を待つ（ステップ６）。
【００８２】
サブコントローラＳが待機状態にあるときに、メインコントローラ２１が施錠命令を送信し（ステップ７）、この施錠命令をサブコントローラＳが受信したら（ステップ８）、サブコントローラＳは正常に受信したかどうかの応答を送信し、この応答に基づいて正常に受信したかどうかをメインコントローラ２１が判別する（ステップ９）。
【００８３】
サブコントローラＳが正常に受信しなければ、メインコントローラ２１はｎ秒間施錠命令を送信したかどうかの判定をし（ステップ９−１）、このｎ秒間経過前にはステップ４の施錠命令送信に戻る。ｎ秒を経過しても正常に受信したかどうかの応答がないときには、メインコントローラ２１は受信不可状態のサブコントローラＳのＩＤを表示部に表示する（ステップ９−２）。
【００８４】
サブコントローラＳがステップ８において正常受信の応答を行ったら、サブコントローラＳは戸２Ａ、２Ｂが閉まっているかどうかの判断を行う（ステップ１０）。
【００８５】
このステップ１０の判断において、戸２Ａ、２Ｂが閉まっていれば、サブコントローラＳはバッテリーチェック（ステップ１１）に移行する。
【００８６】
戸２Ａ、２Ｂが開いていれば、サブコントローラＳは通信器１９からメインコントローラ２１に開いている戸２Ａ、２ＢのサブコントローラＳのＩＤを送信する（ステップ１０−１）。メインコントローラ２１は表示部に開いている戸のＩＤを表示し（ステップ１０−２）、注意を促す。ユーザーはこの注意表示に基づいて戸を閉める（ステップ１０−３）。
【００８７】
ステップ８のバッテリーチェックにおいて、サブコントローラＳのバッテリーが十分に残っているときには、マイクロコンピュータ１３から補助錠１のコイル１２に通電する（ステップ１２）と共に、施錠センサ１４の施錠・解錠の状態を見る（ステップ１３）。
【００８８】
施錠センサ１４の施錠が正常に行われたら、サブコントローラＳは通信器１９から正常に施錠が行われたことを送信する。メインコントローラ２１はこの正常に施錠が行われたことを示す施錠完了信号を受信したかどうかを判定する（ステップ１４）。この施錠完了信号をメインコントローラ２１が受信したら、サブコントローラＳは警戒モードに入る（ステップ１５）。
【００８９】
ステップ１０の施錠が正常に行われなければ、サブコントローラＳはｎ回の施錠の実行を行い（ステップ１３−１）、トライ回数がｎ＋１回に到達したらサブコントローラＳはエラー信号をメインコントローラ２１に送信する（ステップ１３−２）。メインコントローラ２１はこのエラー信号を受信し、表示部にエラー信号を送信したサブコントローラＳを表示する（ステップ１３−３）。ステップ１２−３の後はメンテナンス作業を行う（ステップ１３−４）。
【００９０】
ステップ１５において、サブコントローラＳが警戒モードに入ったら、サブコントローラＳは施錠した自己のＩＤをメインコントローラ２１に送信し（ステップ１６）、メインコントローラ２１はそのサブコントローラＳのＩＤを記憶した後（ステップ１７）、警戒モードに入る（ステップ１８）。
【００９１】
サブコントローラＳは警戒モードに入ったら、ガラス破壊センサ１６がガラス破壊音を検出するかどうかを監視し（ステップ１９）、間欠受信を終了する（ステップ２０）。
【００９２】
警戒モードに入った状態では、図５に示すように、警戒モードの解除の有無を判別する（ステップ２１）。メインコントローラ２１の在宅ボタンが押されて警戒解除となったら、補助錠１の解錠を待つ（ステップ２２）。補助錠１の解錠をサブコントローラＳが送信したら（ステップ２３）、メインコントローラ２１は解錠したサブコントローラＳのＩＤを記憶し（ステップ２４）、間欠受信を行う受信待機をオンし（ステップ２５）、サブコントローラＳはガラス破壊センサ１６をオフとして（ステップ２６）終了する。
【００９３】
ステップ２１の警戒モード解除の判別において、サブコントローラＳが警戒モードが解除されないで維持された状態にあるとき、補助錠１が解錠されたかどうかを判別する（ステップ２７）。
【００９４】
補助錠１が解錠されたことを施錠センサ１４が検出したら、サブコントローラＳは異常開口検知信号をメインコントローラ２１に送信する（ステップ３０）。メインコントローラ２１はこの異常開口検知信号を異常検知として受信し（ステップ３１）、警戒解除ボタンである在宅ボタン３１が押されたかどうかを判別する（ステップ３２）。この判別は、例えば、ユーザーが外出先から帰宅して在宅ボタン３１を押しても、サブコントローラＳ側では受信機能を停止しているので、警戒モードが解除されているかどうかを判別できない。このため、補助錠１が解除されたり、戸が開けられると、施錠センサ１４、開閉センサ１５、ガラス破壊センサ１６がこれらの異常を検知してしまうこととなる。そこで、サブコントローラＳが何らかの状態変化（例えば異常検知）を検知した場合に、その変化は警戒モード下に起きたことであるかどうかを、サブコントローラＳはメインコントローラ２１に問い合わせることとしている。
【００９５】
この処理を行うことにより、サブコントローラＳが受信機能を停止しており、警戒モードの解除を認識できないときでも、ユーザーが帰宅して在宅ボタン３１を押して警戒解除をしたにも拘わらず、警報や威嚇音が出力されるといった不具合を解消できる。
【００９６】
ステップ３２の判別はこのメインコントローラ２１が警戒モードにあるかどうかの判別であり、在宅ボタン３１が押されて警戒解除になっていれば、ステップ２２の前に移行する。また、在宅ボタン３１が押されておらず、警戒中であるときには、メインコントローラ２１からサブコントローラＳに警報命令を送信する（ステップ３３）と共に、メインコントローラ２１は威嚇音発生部２７から警報用スピーカにより警報を発生させる（ステップ３４）。同時にサブコントローラＳは警報命令を受信し（ステップ３５）、サブコントローラＳはスピーカ１８から威嚇音を発生する（ステップ３６）。
【００９７】
これらのステップ３０からステップ３６の一連の警報処理は、施錠センサ１４の解錠検知判別（ステップ２７）において、施錠が継続されている状態でガラス破壊センサ１６のガラス破壊判別処理（ステップ２８）、続いて行われる開閉センサ１５の戸の開閉状態の判別（ステップ２９）において、それぞれ異常（ガラス破壊、戸の開）を検知したときに処理される。ステップ２７，２８，２９のいずれにおいても異常が検出されなければ、ステップ２１の判別処理の前に移行する。
【００９８】
以上説明した施錠システムでは、戸２Ａ、２Ｂの補助錠１について説明したが、主たる錠にこのシステムを適用することも可能であり、補助錠１には限らない。
【００９９】
上述の施錠システムによれば、工事業者に依頼せずにユーザーがメインコントローラ２１とサブコントローラＳとを設置することが可能であり、低コストで施錠監視を行うことが可能であると共に、サブコントローラＳがメインコントローラ２１と常時通信を行うものでなく、予め戸が開いていたり、既に戸が閉まって施錠も済んでいるときには、メインコントローラ２１はサブコントローラＳに通信を行わないと共に、サブコントローラＳも通信器１９への給電を行わないので、バッテリーの消耗が極めて少ない。また、戸が閉まっており、補助錠１の施錠が行われないときに、サブコントローラＳがメインコントローラ２１から間欠受信により施錠命令を待つので、更にバッテリーの消耗が少ない。施錠監視状態にあるときは、サブコントローラＳは開閉センサ１５と施錠センサ１４を起動させ、ガラス破壊センサ１６が監視を行うので、施錠監視も十分に行うことができる。
【０１００】
尚、上記実施の形態では、メインコントローラ２１とサブコントローラＳとを直接交信する構成としたが、両者の伝送路上に、中継器を設け、メインコントローラ２１と中継器との通信を小電力無線若しくは建物の電灯線搬送通信の何れかで行い、中継器とサブコントローラＳとの通信を微弱な無線で行うと、サブコントローラＳの通信手段が微弱で済むこととなる。
【０１０１】
上記の実施の形態では、補助錠１の解除は手動で行っているが、電気的に行っても良い。また、サブコントローラＳと各種センサは同一筐体に設けられていなくても良い。サブコントローラＳは最低限補助錠１を施錠状態に出来る機能とメインコントローラ２１と送受信出来る機能を有しておればよい。更に、各種センサは他のセンサに変更のみならず、付加しても良く、本件実施の形態の範囲に限るものではなく多種多様である。
【０１０２】
ガラス破壊センサ等の防犯センサを設けたことにより、施錠の管理及び自動施錠機能に加え、セキュリティ（防犯）機能を有するシステムとなっている。
【０１０３】
図６は、上述の施錠システムに用いる他の実施の形態にかかる補助錠５０の構成を示している。補助錠５０は、戸５１Ａのガラスを保持する框５２Ａの下部であって、戸の外側から見えない位置に設けられている。補助錠５０の厚さは、戸５１Ａ，５１Ｂ同士が開閉される際に交差する隙間に位置可能な２乃至５ｍｍ程度に設定されており、引き違い式の戸５１Ａ、５１Ｂが、補助錠５０が解錠状態にあるときに、自在にスライドできるようになっている。尚、補助錠５０は框４に凹部を形成して、その凹部の内部に設けても良い。
【０１０４】
補助錠５０は、框５２Ａに接着剤若しくは両面テープ等で接着される金属製のベース５３と、ベース５３から上下に回動する施錠板部５４とを有する。ベース５３の下端縁部にはヒンジ棒を保持する保持部が設けられており、このヒンジ棒の周りを施錠板部５４の保持部が抱え込むように保持している。ヒンジ棒には弦巻バネが通されており、弦巻バネは、施錠板部５４がベース５３から開くように、施錠板部５４とベース５３とを互いに引き離す方向に両者を付勢している。
【０１０５】
ベース５３には凹部からなる回路配置部５５が形成されており、回路配置部５５を施錠板部５４が開閉する。回路配置部５５には永久磁石５６とコイル５７とが設けられており、永久磁石５６の周囲にコイル５７が配設されている。このコイル５７は、サブコントローラ５８が備える電池から通電することで永久磁石５６の磁力を相対的に微弱化させるもので、通電するときに永久磁石５６の磁束に対して反対の極性の磁束が発生するように、電池に接続される。コイル５７と電池は補助錠施錠スイッチを介して接続されている。
【０１０６】
この補助錠施錠スイッチは、サブコントローラ５８のマイクロコンピュータにより概念上構成されるものであり、サブコントローラ５８のマイクロコンピュータの補助錠施錠スイッチに該当する出力ポートから所定電圧の電流を通電すること、並びに、所定電圧の電流供給を停止することによって、コイル５７と電池１３とを接続し、若しくは切断する。補助錠施錠スイッチを、マイクロスイッチやリレー或いはフォトカプラーによって構成しても良いのは勿論である。なお、サブコントローラ５８の電池収納部には、ボタン電池の正極用接点と負極用接点とが目視確認できるように＋、−符号が表示されており、間違えないようになっている。
【０１０７】
施錠板部５４は永久磁石５６によって接着されるように鉄製とされており、施錠板部５４をベース５３側に倒したときに永久磁石５６と施錠板部５４とは接触する。戸５１Ａの框５２Ａにベース５３を貼り付けるとき、施錠板部５４の自由端部側が重力方向に対して鉛直上方に位置し、ヒンジ棒側を鉛直下方に位置するように、補助錠５０を取り付ける。コイル５７に接続されるリード線はサブコントローラ５８のマイクロコンピュータの入出力ポートに接続されている。
【０１０８】
回路配置部５５には、施錠板部５４の開閉状態を検出する補助錠施錠センサが設けられている。この補助錠施錠センサは、スイッチで構成されており、回路配置部５５の底部側（ベース側）に固定接点と可動接点とが設けられている。可動接点は板バネで構成され、施錠板部５４に押されて固定接点に接触し、補助錠施錠センサが導通する。
【０１０９】
固定接点と可動接点の何れか一方は、抵抗を介してマイクロコンピュータの入出力ポートに直列に接続され、固定接点と可動接点の何れか他方は、接地されている。可動接点と固定接点とが導通したときに、一方の入出力ポートからアースに電流が流れ、この電流が流れることによって、補助錠５０は解錠状態になっていることがマイクロコンピュータによって判断され、この電流が流れていないときに、補助錠５０は施錠状態になっていることがマイクロコンピュータによって判断される。
【０１１０】
この補助錠施錠センサは、補助錠５０のベース５３に反射型のインタラプタを設けて構成することもできる。この場合、インタラプタの発光部と受光部とをマイクロコンピュータのそれぞれ別の入出力ポートに接続し、補助錠５０の施錠確認の際に、インタラプタの発光部から光を発光させ、受光部が光を検出したときに、施錠板部５４が閉じていて施錠されていないことを認識させ、インタラプタの受光部が光を検出していないときに、施錠板部５４が開いており、施錠状態であることを認識させ、サブコントローラからメインコントローラに施錠しているか、否かを通信する構成とすることも可能である。
【０１１１】
補助錠５０は、サブコントローラ５８に接続されている。サブコントローラ５８は、ケース内部に基板及び電源である前述の電池及び通信モジュールからなる通信器を収納したものであり、ケース外部に無線通信用のアンテナ５９及びサブコントローラ５８を起動させたり、停止させるためのオンオフスイッチ６０を備えている。
【０１１２】
サブコントローラ５８は、基板にマイクロコンピュータ及び電源回路及び周辺回路を接続したものであり、電池の消費電力を極力抑えた微弱電流を消費する状態と。サブコントローラ５８が十分に機能を発揮できるように電池の電力を消費する状態とに変わることが出来る。
【０１１３】
サブコントローラ５８のマイクロコンピュータは通常時は微弱電流供給状態にあるものである。サブコントローラ５８の通信器は通常時は機能停止状態にあるものである。サブコントローラ５８が動作する状態は、既に述べたサブコントローラＳの動作条件と同様であるので、その説明を援用する。
【０１１４】
開閉センサ６０は常閉スイッチで構成される。開閉センサ６０は、一対のブロック６０Ａ、６０Ｂを備えており、一対のブロック６０Ａ，６０Ｂの一方であってサブコントローラ５８が設けられている側に、常閉スイッチが設けられ、サブコントローラ５８から電力の供給を受けるようになっている。
【０１１５】
この実施の形態では、一方の戸５１Ａの框にブロック６０Ａが設けられ、他方の戸５１Ｂの框にブロック６０Ｂが設けられ、ブロック６０Ａ側に常閉スイッチが設けられている。
【０１１６】
常閉スイッチは、他方のブロック６０Ｂによって接触子がバネの弾発力に抗して押されているとき電流が遮断され、他方のブロック６０Ｂが一方のブロック６０Ａから離れるときに、電流が流れるようになっている。この電流はマイクロコンピュータの入出力ポートから供給されている。
【０１１７】
また、ガラス破壊センサ６１は、ガラス衝撃センサであり、ガラスを割った音を検知したときにその衝撃音を検出するものである。ガラス破壊センサ６１はサブコントローラ５８から電力を供給されており、ガラス破壊センサ６１は衝撃を検知可能になる。ガラス破壊センサ６１は、市販されているものであるが、超音波センサや歪みセンサ或いはマイク等により、ガラスが割れるときの音や振動を検出し、所定値以上の場合に、ガラスの破壊や衝撃を検出してマイクロコンピュータに送信する。
【０１１８】
尚、補助錠施錠センサ、開閉センサ６０、ガラス破壊センサ６１、威嚇音発生部としての威嚇音発生ブザーは電線により、サブコントローラ５８のマイクロコンピュータに接続されている。
【０１１９】
サブコントローラ５８のマイクロコンピュータは周知のようにＲＯＭ・ＲＡＭを備えたものであり、ＲＯＭには、サブコントローラ５８を特定するためのＩＤデータ、施錠システムのサブコントローラ５８側のプログラム及び通信処理用のプログラムが記録されている。
【０１２０】
マイクロコンピュータの施錠システムは、上述のサブコントローラＳのマイクロコンピュータのものと同様であるので、その説明を援用する。
【０１２１】
【発明の効果】
本発明にかかる施錠システムによれば、配線工事の必要が無く、室内の美観を損なうことなく、低コストであると共に建物の居住者が手軽に施錠システムを作成することができる。しかもバッテリーを用いても、バッテリーの消耗等が極力少なく、頻繁にバッテリーを交換する手間がかからないと言う顕著な効果が得られる。
【図面の簡単な説明】
【図１】図１は本発明の実施の形態にかかる補助錠の斜視図である。
【図２】図２は本発明の実施の形態にかかる補助錠の構成を示す説明図である。
【図３】図３はこの実施の形態のメインコントローラのブロック図である。
【図４】図４は本発明の実施の形態にかかる施錠システムの流れを示す流れ図である。
【図５】図５は図４に続く本発明の実施の形態にかかる施錠システムの流れを示す流れ図である。
【図６】図６は他の実施の形態にかかる補助錠の斜視図である。
【符号の説明】
１  補助錠
２Ａ，２Ｂ  戸
３Ａ，３Ｂ  框
４  筐体
５  規制板
７  施錠板
８  突起部
１１  永久磁石
１２  コイル
１３  マイクロコンピュータ
１４  施錠センサ
１５  開閉センサ
１６  ガラス破壊センサ
１７  バッテリー
１８  スピーカ
Ｓ  サブコントローラ
２１  メインコントローラ
２５  表示部
【図１】
2004156254.tif 000003
【図２】
2004156254.tif 000004
【図３】
2004156254.tif 000005
【図４】
2004156254.tif 000006
【図５】
2004156254.tif 000007
【図６】
2004156254.tif 000008